(57)【要約】【課題】  ソーラーセルを文字板外周の見返し部に配置すると風防ガラスと文字板との間隙が広くなり、奥目の時計になってしまう。また、見切り径部にセルを配置するとセルが露出し暗褐色が見えてデザイン的制約課題を有していた。【解決手段】  ソーラーセルの内側に光透過性の見返しリングを配置すると共にソーラーセル発電領域の一部及び前記ソーラーセルの発電領域を覆う見返しリングの一部を文字板上面高さよりも下に配置する、更には見返しリングに入射する光の導光部を確保しながら光透過性の見返しリングの載る文字板周縁部厚に比べて文字板内部側の文字板厚を厚くする。又は、風防ガラスを時計ケースに固定する鍔部を光透過性見返しリング及びソーラーセルの外側に配置させ、見返しリングを風防ガラス直下に配すると共に、見返しリングまたはソーラーセルの上部に目隠し部を設ける。【選択図】      図１
2004212389.tif 000002
【特許請求の範囲】
【請求項１】
ソーラーセルを文字板に対して略垂直に配置したソーラーセル付き電子時計において、前記文字板の周縁部に導光部を設け、前記文字板の周縁部に光透過性の見返しリングを配置すると共に、前記ソーラーセル発電領域の一部及び前記ソーラーセルの発電領域を覆う見返しリングの一部を前記文字板上面高さよりも下に配置した事を特徴とするソーラーセル付き電子時計。
【請求項２】
前記文字板の内部側の厚さを周縁部に対し肉厚にしたことを特徴とする請求項１に記載のソーラーセル付き電子時計。
【請求項３】
前記導光部は、前記文字板の厚さを内部側から周縁側に向かって薄くなるように構成した斜面部を有していることを特徴とする請求項１又は請求項２に記載のソーラーセル付き電子時計。
【請求項４】
前記導光部は、前記文字板の厚さを周縁部が薄くなるように構成した段部を有していることを特徴とする請求項１又は請求項２に記載のソーラーセル付き電子時計。
【請求項５】
前記見返しリングに斜面部を設け、該斜面部で前記文字板の前記導光部の斜面又は段部を覆ったことを特徴とする請求項３又は請求項４に記載のソーラーセル付き電子時計。
【請求項６】
前記ソーラーセル付き電子時計の時計ケースに、風防ガラスを前記時計ケースに固定するための鍔部を前記見返しリングと前記ソーラーセルと該ソーラーセルを保持する時計ムーブメント又は中枠のリング状凸部の外側に配置して、前記見返しリングを前記風防ガラス直下に配置すると共に、前記風防ガラスの見返しリングまたはソーラーセルの上部に目隠し部を設けたことを特徴とする請求項１記載のソーラーセル付き電子時計。
【発明の詳細な説明】
【技術分野】
【０００１】
本発明は、光を利用して発電するソーラー発電システムを有し、かつ前記ソーラー発電システムによって発電した電力を充電する充電システムを有する時計のうち、見返し部にソーラーセルを配置したソーラーセル付き電子時計の時計構造に関するものである。
【背景技術】
【０００２】
従来からソーラーセルを有し、太陽光などの光を発電電力源として利用する電子時計が数多く商品化されている。しかしながら、ソーラーセルを光半透過性の文字板下に配置すると文字板の形態に制約を生じ、その結果デザイン面でバラエティに富んだ商品提案ができなかった。
【０００３】
詳しく述べると、ソーラーセルの表面は暗褐色を呈しており、その色を隠す為に文字板をソーラーセル上に載せるが、一方でソーラーセルが光を受けて発電するためには文字板はある程度光を通す性質、つまり光透過性が必要であった。その為、白色文字板といっても曇りガラスのようなグレーがかった色調の文字板となってしまい、金属文字板に白色顔料の塗装を施したような白色が出せないというデザイン上の問題があった。
【０００４】
ところで近年は、ソーラーセルの受光効率が向上したため、セル面積をある程度小さくしても時計を駆動できる発電電力を得られるようになってきた。そこで、ソーラーセルを文字板外周に略垂直に配置したソーラーセル付き電子時計が提案されている。この従来例には、可撓性のある帯状のプリント基板に形成したソーラーセルをソーラーセル発電部が時計中心側を向くように風防ガラスと文字板との間隙部の壁面に巻き付けたものである（例えば、特許文献１、２参照）。
【０００５】
図１０は特許文献１の第１図に記載された第１実施例であり、複数のソーラーセル２０を各々のソーラーセルを電気的に接続するパターンを形成したプリント基板２１に接着したソーラーセルブロック２３を支持リング２２に配置した構造の時計断面図である。図１０において、複数のソーラーセル２０をプリント基板２１に接着して支持リング２２の溝部２２ａに収めたソーラーセルブロック２３が、風防ガラス２４を固定する鍔部２６の下に配置され、更に支持リング２２には内周リング２２ｂと外周リング２２ｃをつなぐ庇部２２ｄがあり、また、ソーラーセル２０は文字板２５の上に配置された構造となっている。
【０００６】
図１１は特許文献１の第３図に記載された第２実施例の時計断面図であり、風防ガラス３３と文字板３４との間隙部にステンレス薄板３２にアモルファス・シリコンによるソーラーセル３０を形成したソーラーセルユニット３６を時計ケース３５の見返し部３１の内壁面の内側に巻き付けた構成を有している。
【０００７】
また、図１２は特許文献２の第１実施例の時計断面図で、時計ムーブメント４４の文字板４３の配置位置より上方にリング状土手４５を設け、土手の内壁面４６にソーラーセル４０を配置した時計断面図である。尚、４１は風防ガラス、４２は側の鍔部である。
【０００８】
【特許文献１】実公昭６２−４２３９０号公報（第３頁、第１図、第２図、第３図）
【特許文献２】特開２００２−１４８３６６号公報（第３頁、第１図）
【発明の開示】
【発明が解決しようとする課題】
【０００９】
しかしながら、図１０の構造では、風防ガラス２４と文字板２５との間隙寸法は、ソーラーセル２０の高さだけでなく鍔部２６及び庇部２２ｄ等の高さを合計した寸法となる為、風防ガラス２４と文字板２５との間隙が広くなってしまい、結果的に風防ガラス２４から見た文字板２５の位置が深く、いわゆる「奥目の時計」になってしまうと言うデザイン的な問題を生じていた。又このため、針位置が深くなる事で、あるいは針間隔が広くなる事でデザイン性が悪くなり商品価値も下がっていた。
【００１０】
また図１１の構造では、鍔部が無くなった分風防ガラス３３と文字板３４との間隙寸法は狭くなったが、いくら高効率のソーラーセルと言ってもセルの高さ方向は高く、未だその間隙寸法は広い。しかも、ソーラーセル３０が風防ガラス３３と文字板３４との間隙部に露出している為、時計３５の外側からソーラーセル特有の暗褐色の色が直に見えてしまい、特に明るい色の文字板ではソーラーセル３０が黒いリングとして目立ってしまうというデザイン的な問題を生じていた。
【００１１】
更に図１２の構造では、図１０で示した従来例と同様に、ソーラーセル４０が風防ガラス４１を固定する鍔部４２の下に配置された構造となっている為に、風防ガラス４１と文字板４３との間隙寸法は、ソーラーセル４０の高さだけでなく鍔部４２の高さを合計した寸法となる為、風防ガラス４１と文字板４３との間隙が広くなってしまい、結果的に風防ガラス４１から見た文字板４３の位置が深く、「奥目の時計」になってしまうというデザイン的な問題を生じていた。
【００１２】
ところでどの従来例においても、時計を駆動するのに十分なエネルギーを得る為には、ソーラーセルは一定の面積が必要であり、見切り径の大きな男持ちの時計、即ちソーラーセルの長さを長く取れる時計であっても、特に黒い文字板の時計の場合は、必要なソーラーセルの高さはソーラー発電でない時計における風防ガラスと文字板との間隙高さよりも大きくなってしまい、その結果、「奥目の時計」となってしまうという問題があった。
【００１３】
本発明の目的は、ソーラーセルを文字板に対して略垂直に配置したソーラーセル付電子時計において、時計を駆動させるのに必要な発電量を確保しながら、且つソーラーセルを目立たせず、更には文字板位置の深さを感じさせない時計構造を提供するものである。
【課題を解決するための手段】
【００１４】
前記課題を解決するために、ソーラーセルを文字板に対して略垂直に配置したソーラーセル付き電子時計において、前記文字板の周縁部に導光部を設け、前記文字板の周縁部に光透過性の見返しリングを配置すると共に、前記ソーラーセル発電領域の一部及び前記ソーラーセルの発電領域を覆う見返しリングの一部を前記文字板上面高さよりも下に配置した事を特徴とする。
【００１５】
ソーラーセルの内側には、光透過性の見返しリングと文字板が配置されているが、光の入り口である導光部を設けることで、時計駆動に必要な電力を発電するための光を取り入れることができ、また、ソーラーセル発電領域の一部及びソーラーセルの発電領域を覆う見返しリングの一部を文字板上面高さよりも下に配置することで、見返しリングからの入射光を文字板上面より下に配置したソーラーセルまで導くことができるため、ソーラーセル全体を文字板上面よりも上に配置する必要がなく、風防ガラス下面と文字板上面との間隙を減少させることができ、従来の一次電池を有する電子時計と同等の間隙にすることができ、「奥目の時計」を解消することができる。
【００１６】
前記文字板の内部側の厚さを周縁部に対し肉厚にしたことを特徴とする。
【００１７】
指針を配置する文字板の内部側の厚さを、見返しリングを配置する文字板の周縁部よりも肉厚にすることによって、風防ガラス下面から文字板上面までの間隙が少なくなるので「奥目」を解消でき、時計駆動に必要な電力を得るための発電を行うのに必要な見返しリングへ光入射面の面積を確保できる。
【００１８】
前記導光部は、前記文字板の厚さを内部側から周縁側に向かって薄くなるように構成した斜面部を有していることを特徴とする。
【００１９】
文字板の内部側の厚さを周縁部に対し肉厚にすることで、文字板の厚さの差が生じるが、斜面を設けることで外観的に目立ちにくくすることができる。
【００２０】
前記導光部は、前記文字板の厚さを周縁部が薄くなるように構成した段部を有していることを特徴とする。
【００２１】
文字板外周部に段差を形成することはプレス加工、フライス加工等で簡単に加工できるが、外径の異なる２枚の円板を張り合わせることでも実現でき、斜面を形成する構造よりも加工し易いというメリットがある。
【００２２】
前記見返しリングに斜面部を設け、該斜面部で前記文字板の前記導光部の斜面又は段部を覆ったことを特徴とする。
【００２３】
文字板の内部側と周縁部との厚みの差によって生ずる斜面、又は段部を覆う見返しリングを配置することによって、時計を駆動するのに必要な発電量を確保できる光を取り入れる導光部を設け、且つ、時計外観的には平らな文字板であり、従来の一時電池を有する電子時計と何ら変わらない外観を実現することが可能である。
【００２４】
前記ソーラーセル付き電子時計の時計ケースに、風防ガラスを前記時計ケースに固定するための鍔部を前記見返しリングと前記ソーラーセルと該ソーラーセルを保持する時計ムーブメント又は中枠のリング状凸部の外側に配置して、前記見返しリングを前記風防ガラス直下に配置すると共に、前記風防ガラスの見返しリングまたはソーラーセルの上部に目隠し部を設けたことを特徴とする。
【００２５】
見返しリングを風防ガラス直下に配置できるため、鍔部の厚み分、風防ガラスと文字板上面の間隙を減らすことができ、従来の一次電池を有する電子時計と同等の間隙にすることができると共に、風防ガラスの真上からはソーラーセルを見えなくすることができる。
【発明の効果】
【００２６】
上記のごとく本発明によれば、ソーラーセルを文字板に対して略垂直に配置したソーラーセル付電子時計において、ソーラーセルの内側に光透過性の見返しリングを配置すると共にソーラーセル発電領域の一部を文字板上面高さよりも下に配置することにより、また、見返しリングに入射する光の導光部を確保しながら文字板周縁部厚よりも文字板内部側厚を厚くすることで、風防ガラス下面と文字板上面との間隙を減少させることができ、「奥目」のデザインを解消することができる。
【発明を実施するための最良の形態】
【００２７】
［第１の実施の形態］
以下、図面により本発明の第１の実施の形態を詳述する。
図１は本発明の実施例１を表すソーラーセル付き電子時計の要部断面図、図２は本発明の実施例３を表すソーラーセル付き電子時計の要部断面図、図３は本発明のソーラーセル
の平面図、図４は本発明のソーラーセルの時計組込状態を示す斜視図である。
【００２８】
図３は本発明に用いるソーラーセルの平面図であり、まず、図３を使ってソーラーセルの構造について説明する。ソーラーセル１は、ベース基板のＰＥＴフィルム上にアモルファス・シリコン層等を形成してソーラーセルとして機能するように形成したものであり、厚さが１５０μｍ程度で、図４に示すように湾曲させて時計ケース内に収めることができる細長い帯状の形状の可撓性を有するソーラーセルである。
【００２９】
本実施の実施形態ではソーラーセル１が単セルのものであり、１ａは光発電領域、１ｂ及び１ｃは発電電力を取り出すための正、負電極、１ｄはソーラーセルを時計ムーブメントに組み込む際の位置決め用の穴部を有する突起である。また、光発電領域１ａの外周全周には幅４００μｍ程度の光が当っても発電しない縁部１ｅがあるが、これはＰＥＴフィルム上に多数のソーラーセルを形成したシートから１つ１つのソーラーセルに切断分離する際の切断代である。組み込む際は、図４のように光発電領域１ａが時計の中心を向くようにリング状になって時計に組み込まれるものである。
【実施例１】
【００３０】
図１は実施例１を示す本発明によるソーラーセル付き電子時計の要部断面図である。本実施例では時計ムーブメント６の部品である回路支持台３を、外周側に延長し、延長した部分を風防ガラス４側にもさらに延長してリング状凸部３ａを形成している。ソーラーセル１は前述のように可撓性があり、回路支持台３のリング状凸部３ａの内壁面３ｂに丸めて組み込み、ソーラーセル自体の広がろうとする張力で前記凸部３ａの内壁面３ｂに図４に示したような形状で張り付けたものである。
【００３１】
文字板５はリング状形状に配置したソーラーセル１より時計中心側にある回路支持台３上に載置されていて、前記文字板５の周縁部５ａ上に光透過性の見返しリング２を配置するものである。すなわち、ソーラーセル１の内側に見返しリング２が配置された構造となっている。この時、前記文字板５は均一な厚みではなく、見返しリング２が載る文字板周縁部５ａに比べて、時分秒針１１を配置する文字板内部側５ｂの方が風防ガラス４方向に厚くなっている。そして文字板周縁部５ａと文字板内部側５ｂとの段差をつなぐところに文字板の厚さを内部側５ｂから周縁側５ａに向かって薄くなるように構成した斜面部５ｄを付けた構造となっている。
【００３２】
この段差と斜面５ｄによって光の導光部２ａを形成し、見返しリング２への光の入り口を一定幅確保するようにし、これによって必要な発電量を確保することが出来、同時に、文字板内部側５ｂの文字板厚を厚くすることで風防ガラス４と文字板５との間隙は従来の一次電池を有する電子時計並みの深さを実現するものである。
【００３３】
更には、文字板５の周縁部５ｂとソーラーセル１の間には見返しリングに一部２ｂがソーラーセル１を覆うように入り込んでおり、ソーラーセル１の光発電領域１ａ（図１のソーラーセル１のハッチング部分）の一部及びソーラーセル１の発電領域１ａを覆う見返しリング２の一部２ｂを文字板上面５ｃ位置より下にも配置することによって、風防ガラス４の下面から見返しリング２を配置した文字板周縁部５ａの上面までの間隙を少なくすることができ、且つ、導光部材である見返しリング２を伝わってきた光が見返しリング２の一部２ｂから放射されて、文字板上面５ｃ位置より下に配置したソーラーセル１の一部においても発電を行うことができる。
【００３４】
また、図１に示すように見返しリング２とソーラーセル１の間には空気層９があり、見返しリング２を通過した光の一部が界面で反射散乱するために、ソーラーセル１の暗褐色の色を外から見え難くすることができる。
【００３５】
更に、ソーラーセル１の電極部１ｂ、１ｃは時計ムーブメント６の穴部６ａを通って裏ブタ１０側に突き出ている。更に、裏ブタ１０側に配置され図示しない回路基板に図示しない絶縁シートを挟んだ押え板を介してネジ止めによって固定された接続バネ８の先端部８ａが、ソーラーセルの正負電極１ｂ、１ｃに接触し、ソーラーセル１からの発電電力を回路基板へ導く構造となっている。
【００３６】
図５は図１に示す本発明によるソーラーセル付き電子時計の時計ムーブメント６を裏ブタ側から眺めた平面図であり、前述の２本の接続バネ８やソーラーセル１などの平面的な配置関係を示している。接続バネ８はソーラーセル１と回路基板との電気的接続を取るためにネジ８ｂ等によって保持固定されている。
【００３７】
次に、実施例１で示した文字板５内部側５ｂを厚くした文字板５を使ったソーラーセル付き電子時計と平板の文字板を使ったソーラーセル付き電子時計との発電性能の差について表１、図１および図６を用いて説明する。
図１において、一般的な平板の文字板では厚さＡが４００μｍ程度であるのに対して、文字板５の見返しリング２を乗せた周縁部５ａの寸法Ｄを３００μｍとし、内周より４５度の角度に斜面を付けて厚くした文字板５内部側５ｂの厚みＢを７００μｍ、１０００μｍと変えた場合の発電性能を測定し、その結果を表１としてまとめた。尚、この時ソーラーセル１の発電領域１ａの下端は文字板５の下面５ｅと同じ高さまで入り込んだ位置にある。
【００３８】
【表１】
2004212389.tif 000003
【００３９】
表１は、照度を５００ｌｕｘ、ソーラーセル動作電圧を０.４５Ｖ、文字板の色を黒とした条件下で、文字板厚Ｂを変えた場合の完成時計での発電電流及び受光効率の測定値と、風防ガラスから文字板の間隙寸法Ｃを表している。
尚、前記の受光効率とは、ソーラーセル単体を平置きした状態で光発電領域に対して鉛直方向から光を当てた場合の発電電流値に対して、ソーラーセルを組み込んだ完成時計において文字板に対して直角方向（ソーラーセルに対して平行方向）から前記ソーラーセル単体時と同一照度の光を当てた場合の発電電流の割合で、計測値はｎ＝５の平均値を示している。又、測定に用いた見返しリングは光透過性があり、無色透明のポリカーボネート
樹脂により射出成型で作り、その表面は光沢面のものである。
【００４０】
表１に示すように、文字板厚が４００μｍの平らな厚みの文字板での受光効率が２１.１％に対して、文字板内部側を厚くして文字板厚が７００μｍ及び１０００μｍにした文字板では受光効率が各々１９.９％、１８.９％となった。
図６は、表１のデータを文字板厚に対する受光効率のグラフにしたものであり、図６に示したように文字板厚が厚くなるほど受光効率が低下する傾向を示した。この結果は、図１の文字板５厚（Ｂ）が厚くなるほど光の導光部２ａが狭くなり、光が入り難くなることを示すもので、当然の結果でもある。
【００４１】
次に時計消電とソーラーセルによる発電量との関係について説明する。
［時計消電に関して］
本実施例の説明に用いるソーラーセル付き電子時計の仕様は３針デート付きアナログ時計であり、時計消電＝０．５３μＡとする。よって1日分運針に要する消電量＝時計消電×２４ｈｒ＝１２．７μＡ・ｈｒ……（１）となる。
【００４２】
［発電量に関して］
本実施例に用いる時計の使うソーラーセルの仕様は、
ソーラーセル外形サイズ＝長さ９２．１ｍｍ、幅２．４ｍｍ
ソーラーセル受光部有効サイズ＝長さ９１．３ｍｍ、幅１．６ｍｍ
発電有効面積＝１４６mm２（周縁部幅＝約０．４ｍｍ）
ソーラー段数＝1段
【００４３】
前記ソーラーセルの発電性能は、照度５００ｌｕｘ、動作電圧０．４５Ｖ、ソーラーセル平置き状態では発電電流＝６０μＡである。
本実施例によるソーラーセル付き電子時計は、１段ソーラーセルを用いたものでソーラーセルの開回路電圧Ｖｏｃは０．６Ｖであり、定格電圧１．３５ＶのＬｉ２次電池を充電するためには発電電圧を昇圧する必要がある。昇圧システムの仕様を昇圧倍率３倍、昇圧効率９０％とすると、前記１日当りの平均光照射条件における完成時計での発電量は
＝照射時間×発電電流×受光効率÷昇圧倍率×昇圧効率……（２）
より計算できる。
【００４４】
尚、１日当りの平均光照度を５００ｌｕｘ、平均照射時間を４ｈｒと想定する。（２）の１日当りの平均照射条件における完成時計での発電量が、（１）の１日分運針に要する消電量よりも多ければ時計として成り立ち、その為の最小の受光効率は次の式で計算できる。即ち、
時計消電×２４ｈｒ≦照射時間×発電電流×受光効率÷昇圧倍率×昇圧効率
ゆえに、
最小受光効率＝時計消電×２４ｈｒ÷照射時間÷発電電流×昇圧倍率÷昇圧効率
＝０.５３μＡ×２４ｈｒ÷４ｈｒ÷６０μＡ×３÷９０％
＝１７.７％
よって、受光効率が１７.７％以上あれば時計として成り立つものである。
【００４５】
従来の一次電池を有する３針の電子時計の風防ガラスと文字板の間隙寸法Ｃが１５００〜１６００μｍ程度であるのに対して、表１に示したように文字板厚Ｂが１０００μｍの場合、前記間隙寸法Ｃは従来の一次電池を有する３針の電子時計と同等の１５５０μmであり、この時の受光効率は１８．９％であった。よって前述の最小受光効率の計算値１７．７％よりも大きい値が得られており、時計として機能できる発電量が得られながら、風防ガラスと文字板の間隙寸法を従来の一次電池を有する３針の電子時計と同等にする事が可能である。
【実施例２】
【００４６】
図７は実施例２を示す本発明によるソーラーセル付き電子時計の要部断面図である。実施例２では、図１に比べて、見返しリング２は導光部２ａに斜面部２ｃを時計中心側にせり出させ、該斜面部２ｃの斜面の延長線が文字板５の肉厚部（Ｂ）の肉厚上面５ｃの延長線と交差するように設定し、前記斜面部２ｃで文字板５の導光部の斜面である５ｄを覆っている。図１のような見返しリングの断面形状の他に、図７のように文字板斜面部５ｄを覆うような見返しリング２の形状にすることで図１に示した見返しリング２と文字板斜面部５ｄとの段差を無くすことができると共に、ソーラーセル１への光の導光部２ａの面積を確保できる構造も可能である。
【実施例３】
【００４７】
図８は実施例３を示す本発明によるソーラーセル付き電子時計の要部断面図である。実施例３では、図１に比べて、見返しリング２は導光部２ａに斜面部２ｃを時計中心側にせり出させ、該斜面部２ｃの斜面の延長線が文字板５の肉厚部（Ｂ）の肉厚上面５ｃの延長線と交差するように設定し、前記斜面部２ｃで文字板５の導光部の斜面である５ｄを覆っている。図８のようにソーラーセル１への光の導光部２ａの面積を確保しておけば、文字板５の文字板周縁部５ａと文字板内部側５ｂの間を段差でつないで斜面部を無くした構造も可能である。文字板外周部に段差を形成することはプレス加工、フライス加工等で簡単に加工できるが、外径の異なる２枚の円板を張り合わせることでも実現でき、斜面を形成する構造よりも加工し易いというメリットがある。
【実施例４】
【００４８】
図９は本発明の実施例４を示す本発明によるソーラーセル付き電子時計の要部断面図である。実施例１から実施例３においては、ソーラーセル１は時計ムーブメント６の部品である回路支持台３に設けたソーラーセル１の位置決めの為のリング状の凸部３ａに配置した構造で説明したが、図９では、時計ムーブメント６を時計ケース１２に収納する際に用いる外装部品である中枠５０に設けたソーラーセルの位置決め用のリング状の凸部５０ａの内壁面５０ｂにソーラーセル１を配置する構造であり、実施例２における時計構造において実施可能である。
尚、中枠とは、時計ムーブメントを時計ケースに組み込む際に、時計ムーブメントを時計ケースに収納して保持し、また時計外部からの衝撃を吸収するための外装部品である。
【実施例５】
【００４９】
図７において、見返しリング２の外光を取り入れる為の光の入射面では、ソーラーセルへ向けての光の放射面でもない面２ｄ（破線指示面）にアルミニューム等の薄膜による反射膜を蒸着等によって付けた。該反射膜により前記面２ｄから見返しリング２外へ光が漏れることを防ぐことができ、それよりソーラーセル１への光の入射量を増加させて、発電量を増加することが可能となった。
又、図１、図２、図８、図９においても同様に、見返しリングに反射膜を付けることで発電量を増加させることが可能となった。
【００５０】
尚、受光効率は文字板の色によっても左右され、文字板での光の反射が起こりやすい白や明るい色の文字板を使うと受光効率が大きくなり、文字板色が黒色では小さくなる。この文字板色が黒色と白色とでは白の方が受光効率は倍以上となる。
【００５１】
以上、第１の実施の形態によれば、ソーラーセルを文字板に対して略垂直に配置したソーラーセル付電子時計において、ソーラーセルの内側に光透過性の見返しリングを配置すると共にソーラーセル発電領域の一部及び前記ソーラーセルの発電領域を覆う見返しリングの一部を文字板上面高さよりも下に配置することにより、また、時計駆動に必要な電力
を得る為のソーラーセルへの入射光量を確保しながら見返しリングの載る文字板周縁部厚に比べて文字板内部側の文字板厚を厚くすることにより、風防ガラス下面と文字板上面との間隙を減少させることができ、従来の一次電池を有する電子時計と同等の間隙にすることで奥目感を無くす事ができる。
【００５２】
[第２の実施の形態]
次に図２は本発明の第２の実施の形態を表す要部断面図である。本実施の形態は文字板５として一般的な４００μｍ厚の平らな文字板５を使用し、光透過性の見返しリング２を文字板５の外周に取り付けた第１の実施の形態で示した時計ムーブメント６を、風防ガラス４を保持し固定する鍔部１３がソーラーセル１及び見返しリング２の外側に上面側の位置する時計ケース１２に組み込んだもので、ソーラーセル１と見返しリング２は風防ガラス４の直下に近接して配置し、且つ、ソーラーセル１及び見返りリング２が配置された位置の風防ガラス４の下面にはリング状の印刷等４ａを施した構造のものである。
【００５３】
図２に示す時計構造の風防ガラス４を受け、固定する鍔部１３をソーラーセル１及び見返しリング２の外側に位置させることによって、図１０に示す従来例の鍔部２６の厚さ分を省くことができる為に、実施例１で説明したように４００μｍ厚の文字板５を使う場合の風防ガラス４と文字板５との間隙が２１５０μｍに対して、前記間隙を１７００μｍにすることができ、前記間隙は従来の一次電池を有する３針の電子時計とほぼ同等となり、「奥目」のデザインを解消することができるものである。
【００５４】
また更に、見返しリング２及びソーラーセル１の真上の風防ガラス下面にリング状の印刷や金属膜４ａを付けることによって、ソーラーセル１や見返しリング２等を時計ケース１２の外部から見えないように遮蔽することができ、外観品質を向上させることができる。
【００５５】
実施例２で示す時計の発電量については、受光効率が実施例１での文字板厚４００μｍの平らな文字板を用いた場合と同等の約２１.１％あり、実施例１で述べた仕様の時計よりもより十分な発電量が得られるものである。
【００５６】
尚、本実施例では、帯状の単セルのソーラーセルを用いて説明を行ったが、同じ大きさのソーラーセルを左右に２分割した２段セル等のソーラーセルを用いることも可能である。
【００５７】
以上、第２の実施の形態によれば、ソーラーセルを文字板に対して略垂直に配置したソーラーセル付電子時計において、ソーラーセルの内側に光透過性の見返しリングを配置すると共にソーラーセル発電領域の一部及びソーラーセルの発電領域を覆う見返しリングの一部を文字板上面高さよりも下に位置することにより、また、時計駆動に必要な電力を得る為のソーラーセルへの入射光量を確保しながら見返しリングの載る文字板周縁部厚に比べて文字板内部側の文字板厚を厚くすることにより、風防ガラス下面と文字板上面との間隙を減少させることができ、従来の一次電池を有する電子時計と同等の間隙にすることで「奥目」のデザインを解消することができる。
【図面の簡単な説明】
【００５８】
【図１】本発明の第１の実施の形態の実施例１を表すソーラーセル付き電子時計の要部断面図である。
【図２】本発明の第２の実施の形態を表すソーラーセル付き電子時計の要部断面図である。
【図３】本発明のソーラーセルの平面図である。
【図４】本発明のソーラーセルの時計組込状態を示す斜視図である。
【図５】本発明のソーラーセル付き電子時計のムーブメント平面図である。
【図６】本発明の第１の実施形態の実施例１による文字板厚に対する受光効率を表したグラフである。
【図７】本発明の第１の実施形態の実施例２による見返しリングを変えた形態を表すソーラーセル付き電子時計の要部断面図である。
【図８】本発明の第１の実施形態の実施例３による文字板形状を変えた形態を表すソーラーセル付き電子時計の要部断面図である。
【図９】本発明の第１の実施形態の実施例１の別の形態であり、ソーラーセルを中枠に配置したソーラーセル付き電子時計の要部断面図である。
【図１０】特許文献１で示される従来例のソーラーセル付き電子時計の要部断面図である。
【図１１】特許文献２で示される従来例のソーラーセル付き電子時計の要部断面図である。
【図１２】特許文献３で示される従来例のソーラーセル付き電子時計の要部断面図である。
【符号の説明】
【００５９】
１  ソーラーセル
１ａ  光発電領域
２  見返しリング
２ａ  導光部
２ｂ  一部
３  回路支持台
３ａ  凸部
４  風防ガラス
５  文字板
５ａ  周縁部
５ｂ  内部側
５ｄ  斜面部
９  空気層
６  時計ムーブメント
１２  時計ケース
１３  鍔部
５０  中枠
５０ａ  凸部
【図１】
2004212389.tif 000004
【図２】
2004212389.tif 000005
【図３】
2004212389.tif 000006
【図４】
2004212389.tif 000007
【図５】
2004212389.tif 000008
【図６】
2004212389.tif 000009
【図７】
2004212389.tif 000010
【図８】
2004212389.tif 000011
【図９】
2004212389.tif 000012
【図１０】
2004212389.tif 000013
【図１１】
2004212389.tif 000014
【図１２】
2004212389.tif 000015